(57)【要約】【課題】吊持バーの抜き取りの誤りによって金型を損傷させてしまう恐れのない射出成形装置を提供する。【解決手段】上熱盤ユニット４０と上金型３２Ａとを上部ホルダ１８に脱着可能に取り付けるようになした射出成形装置において、挿入溝４４に挿入されて支持部４２Ｌ，４２Ｒに固定されるとともに、上熱盤ユニット４０，上金型３２Ａの左，右端部を吊持する上側吊持バー４６Ｌ，４６Ｒ，下側吊持バー４８Ｌ，４８Ｒを設け、それらの挿入溝４４への挿入及び抜取りによって上熱盤ユニット４０，上金型３２Ａを取り付け、取り外しするようになす。そして下側吊持バー４８Ｌ，４８Ｒの取手６０には、上側吊持バー４６Ｌ，４６Ｒの取手６０に係合して上側吊持バー４６Ｌ，４６Ｒの抜出しを阻止するロックバー６２を設けておく。【選択図】        図３
2008030407.tif 000002
【特許請求の範囲】
【請求項１】
上部ホルダに設けた左右一対の支持部に対して、上熱盤を有する上熱盤ユニットと上金型とを、該上熱盤ユニットを上側に、該上金型を下側にして脱着可能に取り付けるようになした射出成形装置において
(イ)前記支持部のそれぞれに前後方向に設けた挿入溝と
(ロ)該挿入溝に挿入されて前記支持部に固定されるとともに、該挿入溝から左右方向に突出した掛止部を前記上熱盤ユニット，上金型の左，右端部の被掛止部に掛止させて吊持する、前端部に取手が設けられた、前記上熱盤ユニット，上金型に各対応した上側吊持バー，下側吊持バーと、
を備え、該上側吊持バー，下側吊持バーの前記挿入溝への挿入及び抜取りによって、前記上熱盤ユニット，上金型を取り付け、取り外しするようになし、且つ該下側吊持バーの取手には、前記上側吊持バーの取手に係合して該上側吊持バーの抜き出しを阻止するロック部を設けてあることを特徴とする射出成形装置。
【発明の詳細な説明】
【技術分野】
【０００１】
この発明は射出成形装置に関し、詳しくは上熱盤を有する上熱盤ユニット及び上金型の取付装置に特徴を有するものに関する。
【背景技術】
【０００２】
従来よりゴム，樹脂等の成形装置として射出成形装置が広く使用されている。
この射出成形装置、特に縦型の射出成形装置では、上部ホルダに設けた左右一対の支持部に対して、上熱盤を有する上熱盤ユニットと上金型とを、上熱盤ユニットを上側に、上金型を下側にして脱着可能に取り付けるようにする。
【０００３】
射出成形装置では、一連の射出成形作業を行う前に射出装置のノズル内の不要分を吐出させ、また１回の射出でのゴム等の材料の射出量の計量を行う。
このとき、上金型が取り付いているとこれを行うことができないため、その際には上金型を外した状態でそれらの作業を行う。
【０００４】
また射出装置のノズルの脱着を行う場合或いはノズルないし周辺の清掃を行う場合には、上熱盤ユニットが取り付いたままであると同作業を行うことができないため、その際には上熱盤ユニットを取り外した状態でそれらの作業を行う。
このようなことから、射出成形装置にあっては従来、上熱盤ユニット及び上金型を脱着できるようになしてある。
【０００５】
これら上熱盤ユニット，上金型を脱着可能とするため、(イ)上記支持部のそれぞれに前後方向に設けた挿入溝と、(ロ)挿入溝に挿入されて支持部に固定されるとともに、挿入溝から左右方向に突出した掛止部を上熱盤ユニット，上金型の左，右端部の被掛止部に掛止させて吊持する、前端部に取手が設けられた、上熱盤ユニット，上金型に各対応した上側吊持バー，下側吊持バーとを備え、上側吊持バー，下側吊持バーの上記挿入溝への挿入及び抜取りによって、上熱盤ユニット，上金型を取り付け、取り外しするようになしたものが考えられている。
【０００６】
この射出成形装置にあっては、取付状態にある上金型を取り外すときには、下側吊持バーを上部ホルダの支持部から抜き取り、また更に上熱盤ユニットを取り外すときには、支持部から上側吊持バーを抜き取ることとなるが、例えば上金型を取り外す際に左右一対の下側吊持バーを取り外すつもりで作業者が誤って先ず左右何れか一方、例えば左側の下吊持バーを抜き取った後、右側の上側吊持バーを抜き取ってしまうといったことが生じ得る。
【０００７】
この場合、上部ホルダとともに金型を型締めする型締装置のピストン或いは昇降可能な可動盤を下降させたときに、上金型の右端部が支持部に取り付けられたままの状態で上金型が下降してしまうために、上金型が傾いて損傷してしまうといった問題を生じる。
【０００８】
尚、下記特許文献１には、半導体装置のリードを加工するためのリード加工金型において、子型を母型のガイドレールに沿ってスライドさせることにより、子型を母型から脱着させるようになしたものが開示されている。
しかしながら、この特許文献１に開示のものは吊持バーの抜取りによって、金型を脱着させるものでは無い点で本発明とは異なっている。
【０００９】
【特許文献１】特開２００１−２９８１４３号公報
【発明の開示】
【発明が解決しようとする課題】
【００１０】
本発明は以上のような事情を背景とし、吊持バーの抜取りの誤りによって上金型を損傷させてしまう恐れのない射出成形装置を提供することを目的としてなされたものである。
【課題を解決するための手段】
【００１１】
而して請求項１のものは、上部ホルダに設けた左右一対の支持部に対して、上熱盤を有する上熱盤ユニットと上金型とを、該上熱盤ユニットを上側に、該上金型を下側にして脱着可能に取り付けるようになした射出成形装置において、(イ)前記支持部のそれぞれに前後方向に設けた挿入溝と、(ロ)該挿入溝に挿入されて前記支持部に固定されるとともに、該挿入溝から左右方向に突出した掛止部を前記上熱盤ユニット，上金型の左，右端部の被掛止部に掛止させて吊持する、前端部に取手が設けられた、前記上熱盤ユニット，上金型に各対応した上側吊持バー，下側吊持バーと、を備え、該上側吊持バー，下側吊持バーの前記挿入溝への挿入及び抜き取りによって、前記上熱盤ユニット，上金型を取り付け、取り外しするようになし、且つ該下側吊持バーの取手には、前記上側吊持バーの取手に係合して該上側吊持バーの抜き出しを阻止するロック部を設けてあることを特徴とする。
【発明の作用・効果】
【００１２】
以上のように本発明は、下側吊持バーの取手に、上側吊持バーの取手に係合して上側吊持バーの抜出しを阻止するロック部を設けたものである。
本発明によれば、下側吊持バーが支持部に対し挿入状態であると、上側吊持バーが抜出ロックされた状態にあり、従って下側吊持バーを抜き取らない限り上側吊持バーを抜き取ることができない。
従って上下に隣接した下側吊持バーと上側吊持バーとのうち、（作業者が）下側吊持バーを抜き取るつもりで上側吊持バーを抜き取ってしまうといったことが良好に防止される。
【００１３】
これにより、上金型を上部ホルダの支持部に取り付けている一対の下側吊持バーの何れか一方が残ったままでピストンないし可動盤が下降せしめられてしまって、これにより上金型がピストンないし可動盤とともに円滑に下降せずに上金型が傾いた状態となってしまい、上金型が損傷してしまうといった問題を解決することができる。
【発明を実施するための最良の形態】
【００１４】
次に本発明の実施形態を図面に基づいて詳しく説明する。
図１は、本実施形態の縦型のゴムの射出成形装置の全体構成を示したもので、図中１０は射出装置、１２は型締装置である。
射出装置１０は、リボン状のゴム材料を押出機１４のスクリューの回転により可塑化し、流動化させて射出ポット１６内に押し出し、そして射出ポット１６内に充填されたゴム材料を、プランジャの下向きの前進移動によって射出ポット１６の先端のノズルから後述の成形金型３２に向けて射出する。
【００１５】
型締装置１２は、上部の固定盤としての上部ホルダ１８と、下部の型締シリンダ２０とを有しており、それらがタイバー２２によって互いに連結されている。
型締シリンダ２０は、シリンダ室内にピストン２６が昇降可能に設けられており、油圧によりピストン２６を上昇させることで可動盤２８に型締力を及ぼす。
【００１６】
可動盤２８は、上部ホルダ１８の下側において昇降可能に設けられている。
この可動盤２８には、昇降シリンダ３０が連結されている。ここで昇降シリンダ３０は、速い速度で可動盤２８を昇降させる際に用いられる。
尚、可動盤２８は昇降動作に際してタイバー２２によって移動案内される。
【００１７】
３２は上部ホルダ１８と可動盤２８との間にセットされた成形金型で、上金型３２Ａと、中金型３２Ｂ及び下金型３２Ｃとから成っている。
【００１８】
可動盤２８の上面には、下熱盤３４Ａ，断熱盤３４Ｂ及び取付板３４Ｃからなる下熱盤ユニット３４が、固定部材３６にて固定されている。
そしてこの下熱盤ユニット３４における下熱盤３４Ａに対し、下金型３２Ｃ及び中金型３２Ｂが図示を省略する固定部材にて固定されている。
尚下熱盤３４Ａには複数のヒータ３８が埋設されている。
【００１９】
一方上部ホルダ１８の下面には上熱盤４０Ａ，断熱盤４０Ｂ及び取付板４０Ｃからなる上熱盤ユニット４０が、またその下側に上金型３２Ａが取付固定されている。
尚、上熱盤４０Ａには複数のヒータ３８が埋設されている。
ここでこれら上熱盤ユニット４０及び上金型３２Ａは、それぞれ図２に示しているように上部ホルダ１８に設けられた、その下面から立ち下がる支持部４２Ｌ，４２Ｒに取り付けられ支持されている。
図２及び図３にそれらの取付構造が具体的に示してある。
【００２０】
支持部４２Ｌ，４２Ｒのそれぞれには、上下２箇所に内面で開口した前後方向の挿入溝４４が設けられている。そして上側の挿入溝４４に、図４（Ａ）に示す上側吊持バー４６Ｌ，４６Ｒが挿入され、また下側の一対の挿入溝４４に、図４（Ｂ）に示す下側吊持バー４８Ｌ，４８Ｒのそれぞれが挿入されている。
詳しくは、これら上側吊持バー４６Ｌ，４６Ｒ及び下側吊持バー４８Ｌ，４８Ｒの本体部５０が挿入されている。
【００２１】
各本体部５０は、断面形状が上向きのコ字形状をなしていて、挿入溝４４から内方に突出した掛止部５２を有しており、それら掛止部５２を、上熱盤ユニット４０における取付板４０Ｃ及び上金型３２Ａのそれぞれの左，右各端部の被掛止部５４に掛止させて、上熱盤ユニット４０及び上金型３２Ａを、それぞれ下側から支持している。即ちそれら上熱盤ユニット４０及び上金型３２Ａを左右端部においてそれぞれ吊持している。
【００２２】
上記上側吊持バー４６Ｌ，４６Ｒ及び下側吊持バー４８Ｌ，４８Ｒのそれぞれは、本体部５０から棒状部５８が前方に延び出しており、その先端に取手６０が一体に設けられている。
ここで取手６０は、棒状部５８とともに丁字状をなす形態で設けられている。
【００２３】
下側吊持バー４８Ｌ，４８Ｒにはまた、取手６０に更にロックバー（ロック部）６２が一体に設けられている。
ここでロックバー６２は、下側吊持バー４８Ｌ，４８Ｒを下側の挿入溝４４に挿入した状態で、上側吊持バー４６Ｌ，４６Ｒの取手６０の前方に位置して取手６０に対し当接係合し、上側吊持バー４６Ｌ，４６Ｒの抜き出しを阻止するように働く。
【００２４】
本実施形態では、可動盤２８を上昇させて成形金型３２を型合わせした状態で、左右一対の下側吊持バー４８Ｌ，４８Ｒを挿入溝４４から抜き取ることで、図５（Ａ）に示しているように上金型３２Ａを上部ホルダ１８の支持部４２Ｌ，４２Ｒから取り外し、更にまた続いて左右一対の上側吊持バー４６Ｌ，４６Ｒを挿入溝４４から抜き取ることで、図５（Ｂ）に示しているように上熱盤ユニット４０を上部ホルダ１８の支持部４２Ｌ，４２Ｒから取り外すことができる。
これら取り外された上金型３２Ａ或いは上熱盤ユニット４０は、その後の可動盤２８の下降によって、上部ホルダ１８から図中下向きに離脱して下降する。
【００２５】
かかる本実施形態では、下側吊持バー４８Ｌ，４８Ｒのロックバー６２によるロック作用によって下側吊持バー４８Ｌ，４８Ｒを挿入溝４４から抜き取らない限り、上側吊持バー４６Ｌ，４６Ｒの抜取りを行うことができない。
従って例えば上金型３２Ａを上部ホルダ１８から取り外そうとして、作業者が下側吊持バー４８Ｌ，４８Ｒを抜き取るつもりで誤って上側吊持バー４６Ｌ，４６Ｒを抜き取ろうとしても、ロックバー６２による阻止作用によってそれら上側吊持バー４６Ｌ，４６Ｒを抜き取ることができず、従って抜き取るべき吊持バーを作業者が間違えることによって、上金型３２Ａが未だ左右一方の端部が上部ホルダ１８に取り付けられた状態のままで可動盤２８が下降し、これにより上金型３２Ａが傾いてしまって上金型３２Ａが損傷してしまうといった問題を解決することができる。
【００２６】
以上本発明の実施形態を詳述したがこれはあくまで一例示であり、本発明はその趣旨を逸脱しない範囲において種々変更を加えた形態で構成可能である。
【図面の簡単な説明】
【００２７】
【図１】本発明の一実施形態である射出成形装置の全体構成図である。
【図２】同実施形態の要部正面図である。
【図３】同実施形態の要部斜視図及び要部側面図である。
【図４】図３における上側吊持バー及び下側吊持バーの単品図である。
【図５】同実施形態の作用説明図である。
【符号の説明】
【００２８】
１０  射出装置
１８  上部ホルダ
３２  成形金型
３２Ａ  上金型
４０  上熱盤ユニット
４０Ａ  上熱盤
４２Ｌ，４２Ｒ  支持部
４６Ｌ，４６Ｒ  上側吊持バー
４８Ｌ，４８Ｒ  下側吊持バー
５２  掛止部
５４  被掛止部
６０  取手
６２  ロックバー（ロック部）
【図１】
2008030407.tif 000003
【図２】
2008030407.tif 000004
【図３】
2008030407.tif 000005
【図４】
2008030407.tif 000006
【図５】
2008030407.tif 000007